(57)【特許請求の範囲】
【請求項１】
ＲＦＩＤアンテナおよびＩＣチップを有するＲＦＩＤタグであって、
前記ＲＦＩＤアンテナは、前記ＩＣチップに接続している共振アンテナ部と、前記ＩＣチップとは分離した状態のコイル状に形成したブースターアンテナ部と、からこれを構成し、
前記ＩＣチップは、前記共振アンテナ部とともに小型ＲＦＩＤタグを構成し、
前記ブースターアンテナ部は、前記小型ＲＦＩＤタグとは別であり、
前記ブースターアンテナ部は、これをラベルの面上に形成してアンテナラベルとして提供可能であるとともに、
前記ブースターアンテナ部には小型ＲＦＩＤタグを囲むように配置可能とした内方窓部が形成してあり、
前記内方窓部は、径が異なる円が互いに連なった大円窓部および小円窓部からなるダルマ型内方窓部であり、
前記ブースターアンテナ部の小円窓部の領域に小型ＲＦＩＤタグを偏って位置させて、前記共振アンテナ部とブースターアンテナ部とを近接させたことを特徴とするＲＦＩＤタグ。
【請求項２】
ＲＦＩＤアンテナおよびＩＣチップを有するＲＦＩＤタグを取り付けたＲＦＩＤタグ付き容器であって、
前記ＲＦＩＤアンテナは、前記ＩＣチップに接続している共振アンテナ部と、前記ＩＣチップとは分離した状態のコイル状に形成したブースターアンテナ部と、からこれを構成し、
前記ＩＣチップは、前記共振アンテナ部とともに小型ＲＦＩＤタグを構成し、
前記ブースターアンテナ部は、これをラベルの面上に形成してアンテナラベルとして提供可能であるとともに、
前記ブースターアンテナ部には小型ＲＦＩＤタグを囲むように配置可能とした内方窓部が形成してあり、
前記内方窓部は、径が異なる円が互いに連なった大円窓部および小円窓部からなるダルマ型内方窓部であり、
前記ブースターアンテナ部の小円窓部の領域に小型ＲＦＩＤタグを偏って位置させて、前記共振アンテナ部とブースターアンテナ部とを近接させて当該容器に取り付けていることを特徴とするＲＦＩＤタグ付き容器。
【発明の詳細な説明】
【技術分野】
【０００１】
本発明はＲＦＩＤタグ、ＲＦＩＤタグ用のアンテナラベル、ＲＦＩＤタグ付き容器およびＲＦＩＤタグの取付け方法にかかるもので、とくに回転寿司店などで使用される皿などの容器に取り付けるＲＦＩＤタグ、ＲＦＩＤタグ用のアンテナラベル、ＲＦＩＤタグ付き容器およびＲＦＩＤタグの取付け方法に関するものである。
【背景技術】
【０００２】
従来から、回転寿司店などでは、寿司を載せるそれぞれの皿（寿司用皿、容器）の裏面にＲＦＩＤ（Ｒａｄｉｏ  Ｆｒｅｑｕｅｎｃｙ  Ｉｄｅｎｔｉｆｉｃａｔｉｏｎ；無線自動認識）タグを取り付けておき、所定周波数の無線通信による非接触データ通信を可能とすることにより、商品（寿司）についての商品管理システム、たとえば鮮度管理システム（自動廃棄システム）や自動会計システムに応用している。
【０００３】
上記システムに用いるＲＦＩＤタグには一般的に、大型平盤状のもの（図６を参照）、および小型平盤状のもの（図９を参照）の二種類がある。
図６は、従来のＲＦＩＤタグ付き皿１（ＲＦＩＤタグ付き容器）の裏面図であって、ＲＦＩＤタグ付き皿１は、陶器製あるいは合成樹脂製の皿本体２と、皿本体２の裏面（たとえば円形の糸底２Ａの内周側）に取り付けた、たとえば直径７０〜８０ｍｍ程度の大型平盤状に形成した大型ＲＦＩＤタグ３と、を有する。
【０００４】
大型ＲＦＩＤタグ３は、たとえば直径（外径）７０〜８０ｍｍ程度の大型ＲＦＩＤアンテナ４と、大型ＲＦＩＤアンテナ４に接続したＩＣチップ５と、を有する。
大型ＲＦＩＤアンテナ４は、使用する電波の周波数に応じて、たとえばＨＦ帯域（３ＭＨｚ〜３０ＭＨｚ（好ましくは１３．５６ＭＨｚ））に応じて、コイル状で閉回路構成など必要なアンテナ形態を有し、外部の読取り機（固定読取り機６（図７も参照）あるいは携帯読取り機９（図８も参照））との間に無線通信を可能としている。
ＩＣチップ５には、皿本体２に載せて提供する商品Ｍ（寿司その他、図７）に関する価格その他のデータ、さらには時間管理ないし鮮度管理に必要なデータおよび制御プログラムを保存している。
【０００５】
図７は、コンベアレイン７上を搬送されてきた各ＲＦＩＤタグ付き皿１の、固定読取り部における概略側面図であって、ＲＦＩＤタグ付き皿１の直下近傍に取り付けてある固定読取り機６により、大型ＲＦＩＤタグ３における大型ＲＦＩＤアンテナ４およびＩＣチップ５との間で無線データ通信を行い、ＲＦＩＤタグ付き皿１を認識して、その上に載せてある商品Ｍの鮮度を認識し、必要であれば、たとえば、商品Ｍの提供開始から所定時間経過後と判断されれば、これを廃棄可能としている（鮮度管理システム）。
【０００６】
つぎに、図８は、食事終了後の会計時にテーブル８上に重ね合わされた状態のＲＦＩＤタグ付き皿１の概略側面図であって、重ね合わされたＲＦＩＤタグ付き皿１に対してその側面から携帯読取り機９を上下方向に移動操作することにより、それぞれの大型ＲＦＩＤタグ３におけるそれぞれのＩＣチップ５内のデータを読み取って、一括認識を可能とし、それぞれのＲＦＩＤタグ付き皿１の商品Ｍの合計値段を集計することができる（自動会計システム）。
【０００７】
このような構成のＲＦＩＤタグ付き皿１における大型ＲＦＩＤタグ３は、皿本体２の裏面（糸底２Ａの内周面）全体を被覆するような大型平盤状（上述のように、たとえば直径７０〜８０ｍｍ程度）の樹脂封止品であって、携帯読取り機９からの読取り電波の受信面積を大きく取ることができるため無線データ通信は良好である。一方、その接着に用いる高耐久性で高価な両面テープの使用量も多く、コストダウンは困難である。さらに、寿司皿用に特化しているため汎用性が低いとともに、そのサイズが大型であることから、比較的高価であるという問題がある。
【０００８】
図９は、別のタイプのＲＦＩＤタグ付き皿１０（ＲＦＩＤタグ付き容器）の裏面図であって、ＲＦＩＤタグ付き皿１０は、たとえば直径（外径）１０〜３０ｍｍ程度の小型平盤状に形成した小型ＲＦＩＤタグ１１をその裏面に取り付けている。
小型ＲＦＩＤタグ１１は、樹脂による保護材１２内に封止保護された小型平盤コイル状の小型ＲＦＩＤアンテナ１３と、小型ＲＦＩＤアンテナ１３に接続したＩＣチップ１４と、を有する。
この小型ＲＦＩＤタグ１１は、既述した大型ＲＦＩＤタグ３（図６）と同様に、使用する電波の周波数に応じて、コイル状など必要なアンテナ形態を有し、外部の読取り機（固定読取り機６（図７）あるいは携帯読取り機９（図８））との間に無線通信を可能としている。ただし、コイル直径が小さいために電波の受信面積が小さく、読取り距離は短い。
小型ＲＦＩＤタグ１１は、読取り機（固定読取り機６（図７）あるいは携帯読取り機９（図８））と正面で対向する、ごく近接した距離（相対位置）であれば、中出力程度の読取り機を用いた無線データ通信は可能である。
【０００９】
この小型ＲＦＩＤタグ１１は、そのサイズと用途に特化しない汎用性を有していることから価格も比較的安価であり、ＲＦＩＤタグ付き皿１０に貼り付けるための変性エポキシ系接着剤やアクリル糊を使用した強力両面テープも少量ですむため、その導入コストを低く抑えることができる。
ただし、図７に示すように、固定読取り部において小型ＲＦＩＤタグ１１に対し固定読取り機６を比較的近距離に設定することができる場合には、無線によるデータ読取りに支障はないが、図８のように会計時にＲＦＩＤタグ付き皿１０が重ね合わせられた状態では、重ね合わせたＲＦＩＤタグ付き皿１０を横方向ないし斜め方向から読み取ることになるため、すなわち、小型ＲＦＩＤタグ１１にとって不向きの横方向からの読取り処理、ないしは比較的距離が大きい場合には出力が足りずに、データ読取りが困難であるという問題がある。
【００１０】
しかして、均一価格の回転寿司店ではなく、皿ごとに値段が異なる寿司を提供する回転寿司店では、とくに自動会計システムの運用のために大型平盤状の大型ＲＦＩＤタグ３が導入されているが、自動会計システムと合わせて鮮度管理システムを導入しようとするときに、これらの両システムを一気に導入せず、まず小型ＲＦＩＤタグ１１による鮮度管理システムを導入し、その効果を確認してから自動会計システムの導入を考える回転寿司店もある。
したがって、このような導入手順を予定している回転寿司店が初回から高価で割高な大型平盤状の大型ＲＦＩＤタグ３によるシステムを導入することは費用的負担が大きいという問題がある。
【００１１】
要するに、ＲＦＩＤタグ付き皿１および大型ＲＦＩＤタグ３、あるいはＲＦＩＤタグ付き皿１０および小型ＲＦＩＤタグ１１のいずれも、コスト面および機能面などから一長一短であって、まず鮮度管理システムを導入してから自動会計システムを導入する場合、あるいはこれらシステムを同時に導入する場合にも融通性をもって、かつ導入費用を高騰させることなく選択することができるようなＲＦＩＤタグないしこれを取り付けた皿などの容器が要請されるに至った。
【先行技術文献】
【特許文献】
【００１２】
【特許文献１】特開２０１０−２３１３９０号公報
【発明の概要】
【発明が解決しようとする課題】
【００１３】
本発明は以上のような諸問題にかんがみなされたもので、安価に製造することができるＲＦＩＤタグ、ＲＦＩＤタグ用のアンテナラベル、ＲＦＩＤタグ付き容器およびＲＦＩＤタグの取付け方法を提供することを課題とする。
【００１４】
また本発明は、商品管理システムの導入にあたって、導入行程に融通性を持たせることができるＲＦＩＤタグ、ＲＦＩＤタグ用のアンテナラベル、ＲＦＩＤタグ付き容器およびＲＦＩＤタグの取付け方法を提供することを課題とする。
【００１５】
また本発明は、導入者の事情に応じて製作可能なＲＦＩＤタグ、ＲＦＩＤタグ用のアンテナラベル、ＲＦＩＤタグ付き容器およびＲＦＩＤタグの取付け方法を提供することを課題とする。
【課題を解決するための手段】
【００１６】
すなわち本発明は、汎用性があって安価な小型ＲＦＩＤタグを採用するとともに、これとブースターアンテナ部を組み合わせることに着目したもので、第一の発明は、ＲＦＩＤアンテナおよびＩＣチップを有するＲＦＩＤタグであって、上記ＲＦＩＤアンテナは、上記ＩＣチップに接続している共振アンテナ部と、上記ＩＣチップとは分離した状態のブースターアンテナ部と、からこれを構成し、上記ＩＣチップは、上記共振アンテナ部とともに小型ＲＦＩＤタグを構成し、上記ブースターアンテナ部は、この小型ＲＦＩＤタグとは別に、この小型ＲＦＩＤタグを囲むように、これを配置可能としていることを特徴とするＲＦＩＤタグである。
【００１７】
第二の発明は、ＲＦＩＤアンテナおよびＩＣチップを有するＲＦＩＤタグ用のアンテナラベルであって、上記ＩＣチップと上記ＩＣチップに接続している共振アンテナ部とにより構成した小型ＲＦＩＤタグを囲むように配置可能であるとともに、この共振アンテナ部とともに上記ＲＦＩＤアンテナを構成するブースターアンテナ部を有し、このブースターアンテナ部をラベルの面上に形成していることを特徴とするＲＦＩＤタグ用のアンテナラベルである。
【００１８】
第三の発明は、ＲＦＩＤアンテナおよびＩＣチップを有するＲＦＩＤタグを取り付けたＲＦＩＤタグ付き容器であって、上記ＲＦＩＤアンテナは、上記ＩＣチップに接続している共振アンテナ部と、この共振アンテナ部とは分離した状態のブースターアンテナ部と、からこれを構成し、上記ＩＣチップは、上記共振アンテナ部とともに小型ＲＦＩＤタグを構成し、上記ブースターアンテナ部を、この小型ＲＦＩＤタグを囲むように、この小型ＲＦＩＤタグとともに当該容器に取り付けていることを特徴とするＲＦＩＤタグ付き容器である。
【００１９】
第四の発明は、ＲＦＩＤアンテナおよびＩＣチップを有するＲＦＩＤタグを容器に取り付けるＲＦＩＤタグの取付け方法であって、上記ＲＦＩＤアンテナは、上記ＩＣチップに接続している共振アンテナ部と、この共振アンテナ部とは分離した状態のブースターアンテナ部と、からこれを構成しているとともに、上記ＩＣチップは、上記共振アンテナ部とともに小型ＲＦＩＤタグを構成しており、上記容器にこの小型ＲＦＩＤタグを取り付けたのち、上記ブースターアンテナ部を、この小型ＲＦＩＤタグを囲むように、この小型ＲＦＩＤタグとともに上記容器に取り付けることを特徴とするＲＦＩＤタグの取付け方法である。
【００２０】
上記ブースターアンテナ部は、これをコイル状に形成しているとともに、その両端部を互いに接続していることができる。
【００２１】
上記ブースターアンテナ部は、これをコイル状に形成しているとともに、その両端部を互いに非接続としていることができる。
【００２２】
上記ブースターアンテナ部は、これをラベルの面上に形成するとともに、上記小型ＲＦＩＤタグを囲むように貼り付け可能としていることができる。
【００２３】
上記ブースターアンテナ部は、これをアンテナラベルとして提供可能としていることができる。
【発明の効果】
【００２４】
本発明によるＲＦＩＤタグ、ＲＦＩＤタグ用のアンテナラベル、ＲＦＩＤタグ付き容器およびＲＦＩＤタグの取付け方法においては、ＲＦＩＤアンテナは、ＩＣチップに接続している共振アンテナ部と、ＩＣチップとは分離した状態のブースターアンテナ部と、からこれを構成し、ＩＣチップは、共振アンテナ部とともに小型ＲＦＩＤタグを構成し、ブースターアンテナ部は、この小型ＲＦＩＤタグとは別に、この小型ＲＦＩＤタグの近傍にこれを配置可能としているので、従来のような高価で大型平板状のＲＦＩＤタグを導入当初から使用することなく、導入者の事情に応じたシステムを構築することができるとともに、小型ＲＦＩＤタグおよびブースターアンテナ部はともにこれを安価に製造することができるので、システム全体の低廉化を図ることができる。
【００２５】
とくに第一の発明のＲＦＩＤタグによれば、小型ＲＦＩＤタグと、ブースターアンテナ部との組み合わせ構成を採用したので、低コストで、商品管理のための鮮度管理システム（鮮度管理）や自動会計システムを融通性をもって設計することができる。
【００２６】
とくに第二の発明のＲＦＩＤタグ用のアンテナラベルによれば、ＩＣチップとともに小型ＲＦＩＤタグを構成する共振アンテナ部を囲むように配置可能なブースターアンテナ部をラベルの面上に形成しているので、必要なタイミングで必要な部位に当該アンテナラベルを貼り付けることにより、共振アンテナ部とともにＲＦＩＤアンテナを構成可能であり、融通性をもって必要な無線データ通信システムを構築することができる。
【００２７】
とくに第三の発明のＲＦＩＤタグ付き容器によれば、ブースターアンテナ部を、小型ＲＦＩＤタグを囲むように、小型ＲＦＩＤタグとともに容器に取り付けているので、寿司店における皿はもちろん、各種容器の識別管理に応用可能である。
【００２８】
とくに第四の発明のＲＦＩＤタグの取付け方法によれば、皿などの容器に小型ＲＦＩＤタグを取り付けたのち、ブースターアンテナ部を、この小型ＲＦＩＤタグを囲むように、この小型ＲＦＩＤタグとともに容器に取り付けるようにしたので、まず最初に、小型ＲＦＩＤタグを用いたシステム（鮮度管理システム、ないし自動廃棄システム）を採用検証ののちに、ブースターアンテナ部を組み合わせたシステム（自動会計システム）を導入するような段取りを取ることができる。
【図面の簡単な説明】
【００２９】
【図１】本発明の第１の実施例によるＲＦＩＤタグ２１、ＲＦＩＤタグ２１用のアンテナラベル２２を取り付けたＲＦＩＤタグ付き皿２０（ＲＦＩＤタグ付き容器）の底面図である。
【図２】同、アンテナラベル２２の概略拡大断面図である。
【図３】同、食事終了後の会計時にテーブル８上に重ね合わされた状態のＲＦＩＤタグ付き皿２０の概略側面図である。
【図４】本発明の第２の実施例によるＲＦＩＤタグ３１、ＲＦＩＤタグ３１用のアンテナラベル３２を取り付けたＲＦＩＤタグ付き皿３０（ＲＦＩＤタグ付き容器）の底面図である。
【図５】同、ブースターアンテナ部３３における内方窓部の変形例を示す、ＲＦＩＤタグ付き皿４０の底面図である。
【図６】従来のＲＦＩＤタグ付き皿１（ＲＦＩＤタグ付き容器）の裏面図である。
【図７】同、コンベアレイン７上を搬送されてきた各ＲＦＩＤタグ付き皿１の、固定読取り部における概略側面図である。
【図８】同、食事終了後の会計時にテーブル８上に重ね合わされた状態のＲＦＩＤタグ付き皿１の概略側面図である。
【図９】従来の、別のタイプのＲＦＩＤタグ付き皿１０（ＲＦＩＤタグ付き容器）の裏面図である。
【発明を実施するための形態】
【００３０】
本発明は、ＩＣチップおよび共振アンテナ部を備えた小型ＲＦＩＤタグと、別途準備可能なブースターアンテナ部との組み合わせ構成を採用したので、低コストで、商品管理システムの導入ないし採用の事情に応じて融通性をもって提供可能なＲＦＩＤタグ、ＲＦＩＤタグ用のアンテナラベル、ＲＦＩＤタグ付き容器およびＲＦＩＤタグの取付け方法を実現した。
【実施例】
【００３１】
つぎに本発明の第１の実施例によるＲＦＩＤタグ、ＲＦＩＤタグ用のアンテナラベル、ＲＦＩＤタグ付き容器（ＲＦＩＤタグ付き皿２０）およびＲＦＩＤタグの取付け方法を図１ないし図３にもとづき説明する。ただし、図６ないし図９と同様の部分には同一符号を付し、その詳述はこれを省略する。
図１は、ＲＦＩＤタグ付き皿２０の底面図であって、ＲＦＩＤタグ付き皿２０は、前記皿本体２と、皿本体２の底面（たとえば円形の前記糸底２Ａの内周側）に取り付けたＲＦＩＤタグ２１と、を有する。
【００３２】
ＲＦＩＤタグ２１は、前記小型平盤状の小型ＲＦＩＤタグ１１（図９）と、アンテナラベル２２と、を有する。
【００３３】
図２は、アンテナラベル２２の概略拡大断面図であって、アンテナラベル２２は、円環状に形成したＰＥＴフィルム２３の表面にアルミニウムあるいは銅などの導体により、エッチング方式、スクリーン印刷方式あるいはメッキ方式など任意の方式を用いて、たとえば少なくとも２巻以上ラセン状に巻いてコイル状に形成したブースターアンテナ部（補助アンテナ部ないし導波アンテナ部）２４を有し、ジャンパー線２４Ａによりその両端部を互いに接続することによって閉鎖回路を構成している。
【００３４】
アンテナラベル２２は、ブースターアンテナ部２４の、図２中上層側に粘着剤層２５および剥離紙２６を有し、剥離紙２６をはがして円環形状のブースターアンテナ部２４として任意の部位、すなわち、皿本体２の底面に小型ＲＦＩＤタグ１１とは別に貼り付け可能としている。
すなわち、ブースターアンテナ部２４は、これをアンテナラベル２２の面上に形成して、小型ＲＦＩＤタグ１１とは別に提供配置可能であって、その中央部に形成されている円形状内方窓部２７の任意の部位に小型ＲＦＩＤタグ１１を配置するように、皿本体２の底面の同一平面上において小型ＲＦＩＤタグ１１を囲み可能である。
【００３５】
なお、小型ＲＦＩＤタグ１１の前記小型ＲＦＩＤアンテナ１３（図９）は、ブースターアンテナ部２４との共振アンテナ部であって、ブースターアンテナ部２４と共振アンテナ部（小型ＲＦＩＤアンテナ１３）とにより、ＲＦＩＤタグ２１のＲＦＩＤアンテナ２８を構成している。
【００３６】
こうした構成のＲＦＩＤタグ付き皿２０およびＲＦＩＤタグ２１を商品の鮮度管理システムおよび自動会計システムに活用することができる。
すなわち、図３は、食事終了後の会計時にテーブル８上に重ね合わされた状態のＲＦＩＤタグ付き皿２０の概略側面図であって、図示のように皿本体２を積み重ねた状態でも、比較的大型のブースターアンテナ部２４により十分な受信面積を確保することができるので、前記携帯読取り機９により小型ＲＦＩＤタグ１１におけるＩＣチップ１４内のデータを一括して読み取ることができる。
すなわち、携帯読取り機９からの読取り電波により、ブースターアンテナ部２４に誘導起電力が発生し、さらにブースターアンテナ部２４と小型ＲＦＩＤタグ１１の小型ＲＦＩＤアンテナ１３との間の電磁結合により小型ＲＦＩＤタグ１１としてのデータ通信を可能とする。
【００３７】
しかも、ブースターアンテナ部２４は比較的大型ではあっても、アンテナラベル２２として製造が可能であり、安価に提供することができるとともに、接着剤や高価な両面テープを別途必要とせず、小型ＲＦＩＤタグ１１の外周面に後貼りすることにより通信範囲を容易に拡張することができ、導入費用負担を軽減することができる。
【００３８】
かくして、ＲＦＩＤアンテナ２８は、ＩＣチップ１４に接続している共振アンテナ部１３と、ＩＣチップ１４とは分離した状態のブースターアンテナ部２４と、からこれを構成し、ブースターアンテナ部２４は、小型ＲＦＩＤタグ１１とは別に、小型ＲＦＩＤタグ１１の近傍にこれを配置可能としている。
したがって、容器（皿本体２）に小型ＲＦＩＤタグ１１のみを取り付けて、まず小型ＲＦＩＤタグ１１のみによる鮮度管理システムを検討することができる。すなわち、図７のようなコンベアレイン７下方の固定読取り部において近接配置した固定読取り機６により小型ＲＦＩＤタグ１１を読み取ることができるので、鮮度管理システムの検証を行うことができる。
【００３９】
この検証ののち、ブースターアンテナ部２４（アンテナラベル２２）を、小型ＲＦＩＤタグ１１を囲むように、小型ＲＦＩＤタグ１１とともに容器（皿本体２）に、いわば後貼り部品として取り付けることができる。
したがって、図８に示すように、テーブル８上に積み重ねられた複数枚の皿本体２の斜め方向ないし側方向からの携帯読取り機９の操作により、ブースターアンテナ部２４および共振アンテナ部１３を介してＩＣチップ１４との間でデータ通信を行う自動会計システムの導入を実現することができる。
換言すれば、鮮度管理システムや鮮度管理システムおよび自動会計システムを順次導入検討しようとしている回転寿司店にとっては、初回は、導入コストを抑えることができる小型ＲＦＩＤタグ１１を採用することにより、鮮度管理システムや鮮度管理システムを検証することができるとともに、自動会計システム導入時には、アンテナラベル２２としてブースターアンテナ部２４のみを提供することにより、システム拡張の費用的リスクを軽減可能である。
【００４０】
容器としても、ＲＦＩＤアンテナ２８は、ＩＣチップ１４に接続している共振アンテナ部１３と、ＩＣチップ１４とは分離した状態のブースターアンテナ部２４と、からこれを構成し、小型ＲＦＩＤタグ１１を囲むように、ブースターアンテナ部２４を配置しているＲＦＩＤタグ付き容器としたので、必要なシステムの導入を融通性をもって実行可能である。
【００４１】
本発明においては、ブースターアンテナ部は、これをコイル状に形成しているのみでも対応可能である。
すなわち、図４は、本発明の第２の実施例によるＲＦＩＤタグ付き皿３０の底面図であって、ＲＦＩＤタグ付き皿３０は、前記皿本体２と、皿本体２の底面に取り付けたＲＦＩＤタグ３１と、を有する。
【００４２】
ＲＦＩＤタグ３１は、前記小型ＲＦＩＤタグ１１（図９）と、アンテナラベル３２と、を有する。
【００４３】
アンテナラベル３２は、前記アンテナラベル２２（図１、図２）と同様に、円環状に形成したＰＥＴフィルム２３の表面にアルミニウムあるいは銅などにより、ラセン状に巻いてコイル状に形成したブースターアンテナ部３３を有するが、その両端部を互いに非接続とすることによって開放回路を構成している点が、前記ブースターアンテナ部２４（第１の実施例、図１、図２）とは異なる。
さらに、ブースターアンテナ部３３は、そのコイル巻数をブースターアンテナ部２４のコイル巻数より多くすることが必要であるが、他の構成は、ブースターアンテナ部２４と事実上同様である。
【００４４】
ブースターアンテナ部３３は、これをアンテナラベル３２の面上に形成して、小型ＲＦＩＤタグ１１とは別に提供配置可能であって、その中央部に形成されている円形状内方窓部３４の任意の部位に小型ＲＦＩＤタグ１１を配置するように、皿本体２の底面の同一平面上において小型ＲＦＩＤタグ１１を囲み可能である。
【００４５】
小型ＲＦＩＤタグ１１の前記小型ＲＦＩＤアンテナ１３（図９）は、ブースターアンテナ部３３との共振アンテナ部であって、ブースターアンテナ部３３と共振アンテナ部（小型ＲＦＩＤアンテナ１３）とにより、ＲＦＩＤタグ３１のＲＦＩＤアンテナ３５を構成している。
【００４６】
こうした構成のＲＦＩＤタグ付き皿３０およびＲＦＩＤタグ３１は、携帯読取り機９からの読取り電波により、ブースターアンテナ部３３を介して小型ＲＦＩＤタグ１１との間のデータ通信を可能とする。
したがって、図３に示したような皿本体２を積み重ねた状態でも、比較的大型のブースターアンテナ部３３により十分な受信面積を確保することができるので、携帯読取り機９によりＩＣチップ１４内のデータを一括して読み取ることができる。
【００４７】
かくして、ＲＦＩＤタグ付き皿３０およびＲＦＩＤタグ３１によっても、ＲＦＩＤタグ付き皿２０およびＲＦＩＤタグ２１（第１の実施例、図１）と同様に、容器（皿本体２）に小型ＲＦＩＤタグ１１を取り付けて、まず小型ＲＦＩＤタグ１１のみによる鮮度管理システムを検討することができる。すなわち、図７のようなコンベアレイン７下方の固定読取り部における固定読取り機６により小型ＲＦＩＤタグ１１を読み取ることができるので、鮮度管理システムの検証を行うことができる。
【００４８】
この検証ののち、ブースターアンテナ部３３（アンテナラベル３２）を、小型ＲＦＩＤタグ１１を囲むように、小型ＲＦＩＤタグ１１とともに容器（皿本体２）に、いわば後貼り部品として取り付けることができる。
したがって、図３に示すように、テーブル８上に積み重ねられた複数枚の皿本体２の斜め方向ないし側方向からの携帯読取り機９の操作により、ブースターアンテナ部３３および共振アンテナ部１３を介してＩＣチップ１４との間でデータ通信を行う自動会計システムの導入を実現することができる。
【００４９】
本発明においては、ブースターアンテナ部２４における円形状内方窓部２７（図１）ないしブースターアンテナ部３３における円形状内方窓部３４（図４）の任意の部位に小型ＲＦＩＤタグ１１を配置可能であるが、円形状内方窓部２７あるいは円形状内方窓部３４の形状自体も任意である。
たとえば図５は、ブースターアンテナ部３３における内方窓部の変形例を示す、ＲＦＩＤタグ付き皿４０の底面図である。
ＲＦＩＤタグ付き皿４０のＲＦＩＤタグ４１においては、そのアンテナラベル４２の内方窓部としていわゆるダルマ型内方窓部４３を形成している以外は、ＲＦＩＤタグ４１はＲＦＩＤタグ３１（図４）と、アンテナラベル４２はアンテナラベル３２（図４）と、さらにブースターアンテナ部４４はブースターアンテナ部３３（図４）と、それぞれ同様の構成である。
【００５０】
上記ダルマ型内方窓部４３は、互いに連なった大円窓部４３Ａおよび小円窓部４３Ｂからなり、小円窓部４３Ｂの領域に小型ＲＦＩＤタグ１１を位置させることができる。すなわち、小型ＲＦＩＤタグ１１は、コイル状のブースターアンテナ部４４のダルマ型内方窓部４３においてその周縁部（小円窓部４３Ｂ）に偏ってこれを配置していることになる。
なお、アンテナラベル４２におけるブースターアンテナ部４４は、小円窓部４３Ｂに隣り合う部分においてアンテナを構成する各導体間のピッチが短くなっているが、外部の読取り機（固定読取り機６、携帯読取り機９）との間の無線データ通信をＲＦＩＤタグ３１と同様に実行可能である。
【００５１】
こうした構成のＲＦＩＤタグ付き皿４０においても、既述のＲＦＩＤタグ付き皿２０（図１）およびＲＦＩＤタグ付き皿３０（図４）と同様に使用することができるが、糸底２Ａの内方領域に何らかのデザインあるいは成型時に生じた突起４５がある場合に、これを避けて小型ＲＦＩＤタグ１１を取り付けることができる。
【００５２】
本出願人による検証によれば、ブースターアンテナ部３３（第２の実施例、図４）やブースターアンテナ部４４（変形例、図５）におけるように、その導体のコイル形状を開放回路としてもその巻数を比較的多くすることにより、外部の読取り機（固定読取り機６、携帯読取り機９）との間の無線データ通信が可能である。
なお、ブースターアンテナ部３３（図４）やブースターアンテナ部４４（図５）は、前記ジャンパー線２４Ａ（図１）などによりそのコイルの両端部を接続する接続加工が不要となって、より安価に製造可能である。
一方第１の実施例におけるブースターアンテナ部２４（図１）は、上記ジャンパー線２４Ａによりその両端部を互いに接続することによって閉鎖回路を構成するために、その接続加工が必要ではあるが、そのコイルの巻数を比較的少なくしても無線データ通信が可能である。
【００５３】
本発明におけるブースターアンテナ部は、容器の形状その他に応じて、三角形状、四角形状、六角形状、楕円形状その他任意の形態を採用可能である。その巻数や断面形状、隣接する導体間の間隔も任意である。さらに、ブースターアンテナ部として、ラセン形状以外にも、リング状、鍔状あるいは多重の同心構造を採用することもできる。
また、容器としても皿本体２に限らず、任意の物品ないし商品を収容する各種の容器の識別管理に本発明を応用可能である。
【符号の説明】
【００５４】
１  ＲＦＩＤタグ付き皿（図６）
２  皿本体（容器）
２Ａ  皿本体２の糸底
３  大型ＲＦＩＤタグ
４  大型ＲＦＩＤアンテナ
５  ＩＣチップ
６  固定読取り機
７  コンベアレイン（図７）
８  テーブル（図８）
９  携帯読取り機
１０  ＲＦＩＤタグ付き皿（図９）
１１  小型ＲＦＩＤタグ
１２  保護材
１３  小型ＲＦＩＤアンテナ（共振アンテナ部）
１４  ＩＣチップ
２０  ＲＦＩＤタグ付き皿（第１の実施例、図１）
２１  ＲＦＩＤタグ
２２  円環形状のアンテナラベル
２３  ＰＥＴフィルム
２４  ブースターアンテナ部
２４Ａ  ブースターアンテナ部２４のジャンパー線
２５  粘着剤層
２６  剥離紙
２７  ブースターアンテナ部２４の中央部に形成されている円形状内方窓部
２８  ＲＦＩＤアンテナ
３０  ＲＦＩＤタグ付き皿（第２の実施例、図４）
３１  ＲＦＩＤタグ
３２  円環形状のアンテナラベル
３３  ブースターアンテナ部
３４  ブースターアンテナ部３３の中央部に形成されている円形状内方窓部
３５  ＲＦＩＤアンテナ
４０  ＲＦＩＤタグ付き皿（変形例、図５）
４１  ＲＦＩＤタグ
４２  アンテナラベル
４３  ブースターアンテナ部４４に形成されているダルマ型内方窓部
４３Ａ  ダルマ型内方窓部４３の大円窓部
４３Ｂ  ダルマ型内方窓部４３の小円窓部
４４  ブースターアンテナ部
４５  糸底２Ａの内方領域に設けられた何らかのデザインあるいは成型時に生じた突起（図５）
Ｍ    商品（寿司その他、図７）
【図１】
0006612519.tif 000002
【図２】
0006612519.tif 000003
【図３】
0006612519.tif 000004
【図４】
0006612519.tif 000005
【図５】
0006612519.tif 000006
【図６】
0006612519.tif 000007
【図７】
0006612519.tif 000008
【図８】
0006612519.tif 000009
【図９】
0006612519.tif 000010